(57)【特許請求の範囲】
【請求項１】
外部端末と接続する接続手段と、
データを受信する受信手段と、
前記受信手段でデータを受信する際に相手先から送られてくる情報を解読する解読手段と、
前記接続手段を介して前記受信手段でデータを受信したことを示す情報を外部端末に通知する通知手段と、
前記通知手段で通知する情報として、複数の異なる情報の中から前記解読手段による解読結果に応じた情報を選択する選択手段と、
を有し、
前記通知手段は、前記選択手段で選択された情報を用いて前記受信手段でデータを受信したことを外部端末に通知することを特徴とするデータ通信装置。
【請求項２】
請求項１において、
前記解読手段は相手先を示す情報に応じてプライオリティを判定し、前記選択手段は前記解読手段で判定したプライオリティを示す情報を複数の中から選択することを特徴とするデータ通信装置。
【請求項３】
請求項１において、
前記解読手段は相手先から送られてくるプライオリティを示す情報を解読し、前記選択手段は前記解読手段で解読したプライオリティに応じた情報を複数の中から選択することを特徴とするデータ通信装置。
【請求項４】
請求項１において、
さらに、前記接続手段で接続された外部端末に前記通知手段で情報を通知できるか否かを判定する判定手段と、
前記判定手段で通知できないと判定した場合に、前記解読手段で解読した結果に応じた表示を行う表示手段と、
を有することを特徴とするデータ通信装置。
【請求項５】
データ通信を行うデータ通信装置に接続された情報処理端末の制御方法において、
データ通信装置から該データ通信装置が受信したデータおよび該受信データの送信元に関する情報を、受信手段により受信する受信工程と、
前記受信工程で受信した送信元に関する情報に基づき受信データのプライオリティを、判定手段により判定する判定工程と、
前記判定工程における判定結果に応じて、当該プライオリティに応じた複数の受信通知フォームの中からいずれかを選択し、該選択された受信通知フォームを用いて受信通知を行うよう制御手段により制御する制御工程と、
を有することを特徴とする情報処理端末の制御方法。
【請求項６】
請求項５において、
前記判定工程は前記受信工程で受信した送信元に関する情報に含まれる宛先情報に基づきプライオリティを、前記判定手段により判定することを特徴とする情報処理端末の制御方法。
【請求項７】
請求項５において、
前記判定工程は前記受信工程で受信した送信元に関する情報に含まれるプライオリティを示す情報に基づきプライオリティを、前記判定手段により判定することを特徴とする情報処理端末の制御方法。
【請求項８】
請求項５において、
前記制御工程は前記データ通信装置がプライオリティの高いデータを受信した場合に表示装置にその旨を示すメッセージを、前記制御手段により表示させることを特徴とする情報処理端末の制御方法。
【請求項９】
請求項５において、
前記制御工程は前記データ通信装置がプライオリティの高いデータを受信した場合に表示装置に前記受信工程で受信したデータの縮小画像を、前記制御手段により表示させることを特徴とする情報処理端末の制御方法。
【請求項１０】
請求項５において、
前記制御工程は前記データ通信装置がプライオリティの高いデータを受信した場合に表示装置に受信データの送信元を示す情報を、前記制御手段により表示させることを特徴とする情報処理端末の制御方法。
【請求項１１】
請求項５において、
前記制御工程は前記データ通信装置が親展データを受信した場合に表示装置に親展データを受信した旨を示す情報を、前記制御手段により表示させることを特徴とする情報処理端末の制御方法。
【請求項１２】
データ通信を行うデータ通信装置に接続された情報処理端末を制御するためのプログラムが格納されたコンピュータ可読記憶媒体において、
前記プログラムが、
データ通信装置から該データ通信装置が受信したデータおよび該受信データの送信元に関する情報を、受信手段により受信する受信工程と、
前記受信工程で受信した送信元に関する情報に基づき受信データのプライオリティを、判定手段により判定する判定工程と、
前記判定工程における判定結果に応じて、当該プライオリティに応じた複数の受信通知フォームの中からいずれかを選択し、該選択された受信通知フォームを用いて受信通知を行うよう制御手段により制御する制御工程と、
を有することを特徴とする記憶媒体。
【請求項１３】
データを受信手段により受信する受信工程と、
前記受信工程でデータを受信する際に相手先から送られてくる情報を、解読手段により解読する解読工程と、
前記受信工程でデータを受信したことを示す情報を通知手段により外部端末に通知する通知工程と、
前記通知工程で通知する情報として、複数の異なる情報の中から前記解読工程における解読結果に応じた情報を選択手段により選択する選択工程と、
を有し、
前記通知工程は、前記選択工程で選択された情報を用いて前記受信工程でデータを受信したことを前記通知手段により外部端末に通知することを特徴とするデータ通信方法。
【請求項１４】
請求項１３において、
前記解読工程は相手先を示す情報に応じてプライオリティを前記解読手段により判定し、前記選択工程は前記解読工程で判定したプライオリティを示す情報を前記選択手段により複数の中から選択することを特徴とするデータ通信方法。
【請求項１５】
請求項１３において、
前記解読工程は相手先から送られてくるプライオリティを示す情報を前記解読手段により解読し、前記選択工程は前記解読工程で解読したプライオリティに応じた情報を前記選択手段により複数の中から選択することを特徴とするデータ通信方法。
【請求項１６】
請求項１３において、
さらに、外部端末に前記通知工程で情報を通知できるか否かを判定手段により判定する判定工程と、
前記判定工程で通知できないと判定した場合に、前記解読工程で解読した結果に応じた表示を表示手段により行う表示工程と、
を有することを特徴とするデータ通信方法。
【発明の詳細な説明】
【０００１】
【発明の属する技術分野】
本発明は、外部端末とのインタフェースを有するファクシミリ装置等のデータ通信装置、データ通信方法、パーソナルコンピュータ（以下ＰＣという）等の情報処理端末の制御方法、およびコンピュータ可読記憶媒体に関する。
【０００２】
【従来の技術】
従来より、たとえば、ファクシミリ装置が電話回線を介してデータを受信した場合に、インタフェースを介して接続されているＰＣにその旨を通知することが知られている。
【０００３】
【発明が解決しようとする課題】
しかし、受信するデータには、なるべく早く受信者が確認すべきデータ、すぐに確認する必要がないデータ等があるが、従来では受信したデータを受信者に適切に取り扱わせるために工夫の余地があった。
【０００４】
本発明は、上述の問題点に鑑みなされたもので、受信したデータの重要性等に応じた処置を適切にかつ容易に行わせることを目的とする。
【０００５】
【課題を解決するための手段】
本発明は、外部端末と接続する接続手段と、データを受信する受信手段と、前記受信手段でデータを受信する際に相手先から送られてくる情報を解読する解読手段と、前記接続手段を介して前記受信手段でデータを受信したことを示す情報を外部端末に通知する通知手段と、前記通知手段で通知する情報として、複数の異なる情報の中から前記解読手段による解読結果に応じた情報を選択する選択手段とを有し、前記通知手段は、前記選択手段で選択された情報を用いて前記受信手段でデータを受信したことを外部端末に通知することを特徴とするデータ通信装置である。
【０００６】
【発明の実施の形態および実施例】
図１は、本発明の一実施例に係るファクシミリ装置およびパーソナルコンピュータ（ＰＣ）によるデータ処理システムの構成を示すブロック図である。同図において、破線で囲まれた部分がファクシミリ装置である。
【０００７】
ＣＰＵ１は、システム制御部であり、本ファクシミリ装置全体を制御するものである。ＲＯＭ２は、このシステムの制御プログラムを格納するものである。なお、ＣＰＵ１は、ＲＯＭ２に格納された制御プログラムに基づいて、本実施例に係る各種の動作を実行するが、このようなＣＰＵ１の制御プログラムとしては、ＲＯＭ２に限らず、フロッピディスクやＣＤ−ＲＯＭ等による外部の記憶媒体に記憶したものを、専用の読取装置によって装置内のＲＡＭ（例えばＳＲＡＭ３）に取り込み、これをＣＰＵ１が解読して実行するようにしてもよい。
【０００８】
また、ＳＲＡＭ３は、主に送受信画像の管理データや登録データ、相手先データ等を格納するものであり、ＤＲＡＭ４は、主に画像データを格納するものである。
【０００９】
操作パネル５は、ユーザによる各種のキー操作等を受け付けるものである。プリンタ６は、入力された画像データに基づく可視画像を出力するものである。画像処理部７は、入力された画像データに各種画像処理を施すものである。ＣＳ８は、原稿上の画像の読み取りを行う接触型読み取りセンサである。モデム９は、デジタル信号とアナログ信号の変調および復調を行うものである。
【００１０】
ＮＣＵ１０は、公衆回線網の制御を行うものである。ＰＣインタフェース１１は、ＰＣ１２と本ファクシミリ装置との間でデータのやり取りを行うものである。受信ランプ１３は、本ファクシミリ装置が公衆回線網からの画像データをメモリ受信したときに点灯するランプである。
【００１１】
一方、ＰＣ１２は、汎用パーソナルコンピュータとしての機能を有するとともに、ＰＣインタフェース１１を介して本ファクシミリ装置の動作の制御を行ったり、本ファクシミリ装置が公衆回線網から受信した画像データを取得し、その内容を表示装置で表示したりするものである。
【００１２】
また、ＰＣ１２はファクシミリ装置に画像データのファクシミリ送信を行わせる宛先を指定するためのアドレス帳を有しており、このアドレス帳には宛先の名称情報、電話番号、優先度の有無等を記述することができる。
【００１３】
図２は図１に示したデータ処理システムの外観を示す斜視図である。
【００１４】
この図に示すように、ＰＣ１２は表示装置１２Ａおよびキーボード１２Ｂを備えており、表示装置１２Ａに各種情報を表示するとともに、キーボード１２Ｂから各種指示を入力することができる。また、ＰＣ１２は内蔵のハードディスクにアドレス帳を含むファクシミリ装置を制御するためのプログラムを示すコード等が格納されている。このプログラムはフロッピディスク（ＦＤ）２０１をフロッピディスクドライブ２０２にセットし、キーボード１２Ｂからの操作でハードディスク内にインストールされる。
【００１５】
ＰＣ１２のメモリには、図３に示すようなデータが記憶される。
【００１６】
ＯＳ（オペレーティングシステム）３０２および基本Ｉ／Ｏプログラム３０１に基づきＰＣ１２のマイクロプロセッサの制御によってＰＣ１２のＲＡＭにファクシミリ装置制御プログラムモジュール群３０３およびその関連データ３０４が読み出されプログラムが実行される。
【００１７】
次に、本発明の第１実施例の動作について説明する。
【００１８】
この第１実施例は、ファクシミリ装置が公衆回線網を介して画像データを受信した場合に、その相手先に応じて、プライオリティを判断し、そのプライオリティに応じてＰＣ１２の表示装置の画面に受信通知表示を行うようにしたものである。
【００１９】
図４は、この第１実施例における相手先データの具体例を示す説明図であり、図５は、この第１実施例において、プライオリティを決定するプライオリティＩＤの具体例を示す説明図である。この第１実施例では、プライオリティＩＤとして、０、１、２の１桁数字を用いる。
【００２０】
なお、本実施例では、図４に示す相手先データをファクシミリ装置のＳＲＡＭ３上に格納しておき、ファクシミリ受信の際に、その相手先とＳＲＡＭ３上の相手先データとを照合し、その相手先がプライオリティのある相手先データとして記憶されている場合には、その相手先データよりプライオリティＩＤを決定し、ＰＣインタフェース１１を介してＰＣ１２に相手先略称、相手先ファクシミリ番号、プライオリティＩＤを通知する。
【００２１】
なお、図４に示す相手先データをＰＣ１２側に設定しておき、ファクシミリ装置から伝えた相手先の略称やファクシミリ番号により、ＰＣ１２側でプライオリティＩＤを決定してもよい。
【００２２】
図６は、この第１実施例におけるＰＣ１２の電源投入時の動作を示すフローチャートであり、図６（Ａ）はファクシミリ装置側の動作を示し、図６（Ｂ）はＰＣ１２側の動作を示している。
【００２３】
まず、ファクシミリ装置は、公衆回線網からの着信を受けた場合（Ｓ１）、メモリ受信を、すなわち受信した画像データをＤＲＡＭ４に格納する（Ｓ２）。そして、相手先データから相手先のプライオリティを識別し（Ｓ３）、プライオリティＩＤの値をセットする。そして、このプライオリティＩＤと受信画像データをＰＣ１２へ渡す（Ｓ４）。
【００２４】
次に、ＰＣ１２は、ファクシミリ装置からプライオリティＩＤと受信画像データを受け取ると（Ｓ５）、プライオリティを判断する（Ｓ６）。そして、プライオリティが高ければ（プライオリティＩＤ＝０）、ＰＣ１２上でファクシミリ受信処理以外の現在実行中の作業を中断させ（Ｓ７）、表示装置に“緊急（重要）なファクシミリを受信しました"というメッセージを表示し、右下端にプライオリティの高いファクシミリを受信したことを示すマークを表示する（Ｓ８）。なお、この表示の際に、所定の音声出力を行ってもよいことは勿論である。
【００２５】
図７は、この場合のＰＣ１２の表示装置における表示画面の例を示す説明図である。
【００２６】
図示のように、文書等の作成中の画面の中央に“緊急（重要）なファクシミリを受信しました"というメッセージをポップアップによって表示している。このウインドウ中には、受信したファクシミリデータの表示を実行することを指示するための「ＯＫ」ボタンが設けられている。また、表示画面の右下端には、緊急（重要）なデータを受信したことを示す受信マークが表示されている。
【００２７】
ここでキーボードやポインティングデバイス等を用いて「ＯＫ」ボタンを押すと、受信したファクシミリ画像の内容を表示する。また、この場合、受信画像を表示させない限り、他の作業には戻れないようにする。そして、ファクシミリ画像の内容を表示させると（Ｓ１０）、右下端に表示されていた受信マークは消え（Ｓ１１）、他の作業に戻れる。
【００２８】
一方、ファクシミリ装置から受け取った受信画像データのプライオリティが低いときは（プライオリティＩＤ≠０）、そのプライオリティに対応したファクシミリ受信マークを右下端に受信した順に左から表示する（Ｓ９）。なお、この表示の際に、所定の音声出力を行ってもよいことは勿論である。
【００２９】
図８は、この場合のＰＣ１２における表示画面を示す説明図である。
【００３０】
図示の例では、プライオリティＩＤ＝１のときはプライオリティが普通であることを示す受信マーク、プライオリティＩＤ＝２のときはプライオリティが低いことを示す受信マークを受信順に左から表示する。
【００３１】
また、これらのファクシミリ受信マークをポインティング等を用いてクリックすることにより、受信画像を表示させることができる。なお、受信画像を表示させないまま、図８に示す画面の状態で、他の作業を続行できる。また、受信画像を表示させた後は（Ｓ１０）、該当するファクシミリ受信マークを画面から消す（Ｓ１１）。
【００３２】
図９は、この第１実施例におけるＰＣ１２が電源オフしている場合も考慮したファクシミリ装置の動作を示すフローチャートである。
【００３３】
この場合、ファクシミリ装置は、公衆回線網からのファクシミリ受信があると（Ｓ２０）、ＰＣ１２へ受信データを転送できるか判断する（Ｓ２１）。転送できる場合は、図６のＳ２へ進み前述と同様の処理を行う。ＰＣ１２の電源オフ等により転送できない場合には、相手先のプライオリティを識別し（Ｓ２２）、プライオリティが高ければ（プライオリティ＝０）、メモリ受信を行い（Ｓ２３、Ｓ２４）、プライオリティの高いファクシミリを受信したことが識別できるように、通常の受信時とは受信ランプ１３の点灯タイミングを変えた表示を行うことにより、ユーザに知らせる（Ｓ２５）。
【００３４】
また、プライオリティが高くなければ（プライオリティ≠０）、現在ファクシミリ装置で設定されている受信モード（たとえば、プリンタ６によるプリントアウトやＤＲＡＭ４へのメモリ受信）でファクシミリ受信処理を行う（Ｓ２３、Ｓ２６）。
【００３５】
図１０は、相手先データを解析する際の処理の流れを示すフローチャートである。
【００３６】
まず、公衆回線網を介して相手先ファクシミリ装置から相手先データを取得する（Ｓ３１）。なお、ここで取得する相手先データは、相手先略称（Ｇ３ファクシミリ通信を行う場合はＩＴＵ−Ｔ勧告のＴ．３０に基づくＮＳＳ信号に含まれているものとする）と相手先ファクシミリ番号（同じくＴ．３０に基づくＴＳＩ信号に含まれているものとする）の両方か、どちらか一方だけ取得できれば良い。もしこれが取得できないならば、プライオリティが普通（プライオリティ＝１）をＰＣ１２に転送する相手先データにセットして終了する（Ｓ３５）。
【００３７】
また、取得できたら、登録されている相手先データを参照し、取得した相手先データと比較する（Ｓ３２）。そして、もし取得した相手先データと対応する相手先データが登録されていないならば（Ｓ３３）、プライオリティが普通（プライオリティ＝１）であると相手先データにセットして終了する（Ｓ３５）。
【００３８】
また、取得した相手先データに対応した相手先データが登録されていたら、そのプライオリティＩＤの値をＰＣ１２に転送する相手先データにセットして終了する（Ｓ３４）。
【００３９】
以上のようにして、ファクシミリ装置に接続されているＰＣの電源がＯＮのときは、緊急である、あるいは重要であるファクシミリを受信したときのみ現在実行中の作業を中断させ、受信したファクシミリを即時表示することを促すことができる。また、接続されているＰＣの電源がＯＦＦのときは、メモリ受信を行い、受信ランプの点灯パターンを変えることにより、緊急である、あるいは重要であるファクシミリを受信したことを知らせることができる。
【００４０】
次に、本発明の第２実施例について説明する。上述した第１実施例では、相手先に応じてプライオリティを決定したが、この第２実施例では、相手先が伝送データ毎にプライオリティＩＤを設定して画像データを伝送してきた場合に、このプライオリティＩＤに基づいて、ファクシミリ装置において受信通知処理を行うものである。なお、図１に示す構成は、本実施例においても共通であるので、説明は省略する。
【００４１】
図１１は、この第２実施例で用いるプライオリティデータの具体例を示す説明図である。
【００４２】
この第２実施例では、５桁記号・数字（＃０００＊、＃１１１＊、＃２２２＊）のプライオリティＩＤを用い、プライオリティ値として、０、１、２の１桁数字を用いる。
【００４３】
送信側が、画像データの送信時に、宛先入力とともに、プライオリティＩＤに対応するコードをユーザが所定のキー操作手順によって設定する。送信側ファクシミリ装置では、この設定されたプライオリティＩＤを例えばサブアドレスにセットして、画像データの伝送を行う。
【００４４】
受信側のファクシミリ装置では、受信の際にサブアドレスのデータを検出し、これを自機のＳＲＡＭ３に格納されているプライオリティデータのプライオリティＩＤと照合し、プライオリティＩＤであると判断した場合には、その値をＰＣ１２に転送する相手先データ（図４参照）にセットして、ＰＣ１２に転送し、受信通知を行う。
【００４５】
なお、本実施例では、プライオリティデータをファクシミリ装置のＳＲＡＭ３上に設けたが、これをＰＣ１２上に設け、ファクシミリ装置からの相手先データには、サブアドレスデータをセットして転送するようにしてもよい。
【００４６】
図１２は、この第２実施例におけるＰＣ１２の電源投入時の動作を示すフローチャートであり、図１２（Ａ）はファクシミリ装置側の動作を示し、図１２（Ｂ）はＰＣ側の動作を示している。
【００４７】
まず、ファクシミリ装置は、公衆回線網からの着信を受けた場合（Ｓ４１）、画像データのメモリ受信を行う（Ｓ４２）。そして、サブアドレスに設定されたデータから受信受信画像データのプライオリティを識別し（Ｓ４３）、プライオリティＩＤの値をセットし、これと受信画像データをＰＣ１２へ渡す（Ｓ４４）。
【００４８】
なお、サブアドレスにデータの設定がないときや、プライオリティＩＤと一致するデータがないときには、プライオリティを普通として、受信画像データをＰＣ１２へ渡す（Ｓ４４）。
【００４９】
次に、ＰＣ１２は、ファクシミリ装置からプライオリティと受信画像データを受け取ると（Ｓ４５）、プライオリティが高ければ（プライオリティＩＤ＝０）、ＰＣ１２上で現在実行中の作業を中断させ（Ｓ４７）、図７に示すように、“緊急（重要）なファクシミリを受信しました"というメッセージを表示し、右下端にプライオリティの高いファクシミリを受信したマークを表示する（Ｓ４８）。なお、この表示の際に、所定の音声出力を行ってもよいことは勿論である。
【００５０】
ここで、図７の表示で「ＯＫ」ボタンを押すと、受信したファクシミリ画像の内容を表示する。また、この場合、受信画像の内容を表示させない限り、他の作業には戻れないようにする。そして、受信したファクシミリ画像の内容を表示させると（Ｓ５０）、右下端に表示されていた受信マークは消え（Ｓ５１）、他の作業に戻れる。
【００５１】
一方、ファクシミリ装置から受け取った受信画像データのプライオリティが低いときは（プライオリティＩＤ≠０）、図８に示すように、そのプライオリティに対応したファクシミリ受信マークを右下端に受信した順に左から表示する（Ｓ４９）。なお、この表示の際に、所定の音声出力を行ってもよいことは勿論である。
【００５２】
図１３は、この第２実施例におけるＰＣ１２が電源オフしている場合も考慮したファクシミリ装置の動作を示すフローチャートである。
【００５３】
この場合、ファクシミリ装置は、公衆回線網からのファクシミリ受信があると（Ｓ６０）、ＰＣ１２へ受信データを転送できるか判断する（Ｓ６１）。転送できる場合は図１２のＳ４２へ進み、前述と同様の処理を行う。ＰＣ１２の電源オフ等により転送できない場合は、送信側から送られてくるサブアドレスを識別し（Ｓ６１）、このサブアドレスに基づき前述のようにプライオリティを識別する（Ｓ６２）。プライオリティが高ければ（プライオリティ＝０）、メモリ受信を行い（Ｓ６３、Ｓ６４）、プライオリティの高いファクシミリを受信したことが識別できるように、受信ランプ１３の点灯タイミングを変える表示を行うことにより、ユーザに知らせる（Ｓ６５）。
【００５４】
また、サブアドレスにデータが設定されていないときや、プライオリティＩＤと一致するデータがないとき、あるいは、プライオリティが高くない場合（プライオリティ≠０）には、現在ファクシミリ装置が設定されている受信モードでファクシミリを受信する（Ｓ６３、Ｓ６６）。
【００５５】
図１４は、プライオリティを識別する際の処理の流れを示すフローチャートである。
【００５６】
まず、公衆回線網を介して送信側から送信されたサブアドレスを取得する（Ｓ７１）。もしこれが取得できないならば、プライオリティが普通（プライオリティ＝１）であることをＰＣ１２に転送する相手先データにセットして終了する（Ｓ７４）。
【００５７】
また、送信側からのサブアドレスを取得できたら、ＳＲＡＭ３にプライオリティ設定用に登録されているプライオリティＩＤと比較する（Ｓ７２）。そして、プライオリティＩＤと一致するデータが取得したサブアドレスに設定されていない場合には、プライオリティが“普通"（プライオリティ＝１）であることをＰＣ１２に転送する相手先データにセットして終了する（Ｓ７４）。
【００５８】
また、プライオリティＩＤと一致するデータが取得したサブアドレスに設定されている場合には、そのプライオリティＩＤの値をＰＣ１２に転送する相手先データにセットして終了する（Ｓ７３）。
【００５９】
以上のようにして、ファクシミリ装置に接続されているＰＣの電源がＯＮのときは、緊急である、あるいは重要であるファクシミリを受信したときのみ現在実行中の作業を中断させ、受信したファクシミリを即時表示することを促すことができる。特に、伝送データ毎に送信側の意思によりプライオリティを設定でき、より適正な受信通知の運用が可能となる。
【００６０】
また、接続されているＰＣの電源がＯＦＦのときは、メモリ受信を行い、受信ランプの点灯パターンを変えることにより、緊急である、あるいは重要であるファクシミリを受信したことを知らせることができる。
【００６１】
なお、以上の例では、ファクシミリ受信のプライオリティをＰＣに通知する際に、同時にファクシミリ受信した画像データをＰＣに送るようにしたが、この代わりに、プライオリティをＰＣに通知する時点では、画像データをＰＣに送らず、その後のＰＣからの指示に基づいて受信画像データをＰＣ側に送るようなシステムを構成してもよい。
【００６２】
例えば大容量の外部メモリをファクシミリとＰＣで共有するシステムにおいて、受信画像データの蓄積をこの外部メモリにより行うような場合には、プライオリティを通知する時点では、受信画像データを外部メモリに蓄積したままとし、その管理情報だけを転送し、その後、必要に応じて受信画像データを外部メモリからＰＣに呼び出すようにすることで、システムの実情に適応した構成とすることができる。
【００６３】
また、以上の例では、サブアドレスを用いてプライオリティを通知したが、これに限らず、他の手順信号において、ユーザが任意にデータ設定できる領域を用いて通知してもよい。
【００６４】
また、以上の例では、重要な画像データを受信した場合には、強制的に作業を中断させて、受信画像を表示させるようにしたが、必ずしもこのように構成する必要はなく、プライオリティの高い受信画像を表示するかどうかの判断をオペレータに任せるような構成であってもよい。
【００６５】
次に、本発明の第３実施例について説明する。上述の実施例ではＰＣ１２の表示画面上では緊急なファクシミリを受信したことを示すメッセージを表示するものであった。この第３実施例では緊急なファクシミリを受信した場合には送信元の名称を表示するとともに、１ページ目の縮小画像（サムネイル）を表示するものである。なお、図１に示す構成は、本実施例においても共通であるので、ここでの説明は省略する。
【００６６】
図１５は、この第３実施例におけるファクシミリ装置の動作の流れを示すフローチャート、図１６はＰＣ側の動作の流れを示すフローチャートである。
【００６７】
まず、ファクシミリ装置は公衆回線網からの着信を受けた場合（Ｓ８１）、送信側のファクシミリ番号を識別し、ＳＲＡＭ３に記憶することによりＰＣ１２に通知する相手先データとして設定する（Ｓ８２）。ここで識別するファクシミリ番号は、Ｇ３ファクシミリ通信の場合はＩＴＵ−Ｔ勧告Ｔ．３０で規定されているＴＳＩ信号や、その他呼び出し時の網から通知される発信元番号等、特に制限されるものではない。
【００６８】
そして、送信側でサブアドレスが指定されていたか判断し（Ｓ８３）、指定されていれば受信したサブアドレスの情報をＳＲＡＭ３に記憶し、相手先データとして設定する（Ｓ８０）。
【００６９】
送信側から送られてきた画像データはＤＲＡＭ４に記憶される（Ｓ８５）。なお、ＳＲＡＭ３に記憶した相手先データとＤＲＡＭ４に記憶された画像データはそれぞれ対応づけられて記憶される。
【００７０】
そして、ＳＲＡＭ３に記憶された相手先データおよびＤＲＡＭ４に記憶された画像データをＰＣインタフェース１１を介してＰＣ１２に送信する（Ｓ８６）。
【００７１】
次に、ＰＣ１２はファクシミリ装置から相手先データと受信画像データを受け取ると一旦ハードディスク等に記憶する（Ｓ９０）。
【００７２】
そして、ＰＣ１２が備えているアドレス帳の中に受信した相手先データに対応したファクシミリ番号が登録されているかどうか順次比較する（Ｓ９１）。
【００７３】
アドレス帳の中に受信した相手先データに対応したファクシミリ番号が存在した場合、そのファクシミリ番号にプライオリティが設定されているか判断する（Ｓ９２）。設定されていなかった場合、受信した相手先データにサブアドレスが含まれているか判断するとともに、そのサブアドレスがプライオリティ設定用（緊急受信用）として登録されているか判断する（Ｓ９３）。プライオリティ設定のための条件が何もなければ、図８のようにファクシミリ受信があったことを表示装置の表示画面の右下端に表示する（Ｓ９４）。
【００７４】
プライオリティのある相手先からの受信もしくはプライオリティを設定すべきサブアドレスを指定して画像データを送った相手先からの受信であった場合は、受信した画像データが親展データであるか判断する（Ｓ９５）。
【００７５】
親展データでなかった場合、受信した画像データの１ページ目のサムネイル画像（縮小画像）を表示する（Ｓ９７）。この表示の際は、受信日付、時間、全ページ数、送信元の名称（アドレス帳に登録されている名称もしくは送信側から送られてくる名称情報、ファクシミリ番号等）も合わせて表示する。さらに、“すぐ確認しますか？"との問い合わせも行い、“Ｙｅｓ"ボタンが押された場合は受信した画像データを拡大して表示するとともに全ページを順次表示する。
【００７６】
そして、このサムネイル表示と同時に表示装置の表示画面の右下端に緊急なファクシミリを受信したことを示すマークを受信した順に左から表示する。また、このマークにポインティングデバイスのポインタを合わせると、送信元の名称が表示され、そのマークをクリックすることにより先の“Ｙｅｓ"ボタンを押した場合と同様に受信画像を表示させることもできる。
【００７７】
一方、受信した画像データが親展データであった場合は、図１８に示すようにサムネイル表示の代わりに親展データであることを示すアイコンを表示する（Ｓ９６）。この場合“Ｙｅｓ"ボタンを押すとパスワード入力用画面が表示され、正しいパスワード入力後に受信画像が表示されるものとする。また、表示画面右下端のマークにポインタを合わせた場合は送信元の名称および親展である旨のメッセージが表示される。
【００７８】
そして、受信画像を表示させ確認した場合は（Ｓ９８）、表示画面右下端のマークをケース（Ｓ９９）。
【００７９】
以上のように第３実施例によれば、緊急なファクシミリ受信の中でも、受信側のオペレータの選択により、すぐに表示させる画像を決定することが容易となる。
【００８０】
なお、本実施例において、プライオリティの設定の際に用いるアドレス帳はＰＣ１２のハードディスクに格納されており、ＰＣインタフェース１１を介してファクシミリ装置に送信指示を行うためのものである。このアドレス帳に設定されているプライオリティは送信指示の際にも用いることが可能であり、プライオリティが設定されている相手先に送信する場合は、プライオリティの設定されていない相手先よりも先に送信されるように制御したり、リダイヤル時にリダイヤル間隔を短くするように作用させることもできる。
【００８１】
また、逆に、プライオリティを低く設定することもでき、プライオリティの低い相手先に送信する場合は通信料金の低い時間帯に送信したり、受信の場合はプライオリティが低いことを示すマークを表示させるようにする。
【００８２】
また、図６、図９、図１０、図１２〜図１６のフローチャート、図７、図８、図１７、図１８の表示画面は、それぞれファクシミリ装置のＲＯＭ２に格納されたプログラムに基づくＣＰＵ１の制御、もしくはＰＣ１２のハードディスクにインストールされたアプリケーションプログラムに基づくＰＣ１２のＭＰＵの制御により実行、表示される。このプログラムをフロッピディスク等のメモリに格納し、他の装置でも同様な処理を実行させることも可能である。
【００８３】
また、以上の例では、ファクシミリ装置による画像通信の場合について説明したが、他のデータ通信を行う通信端末装置とＰＣを接続したシステムについても同様に適用し得るものである。
【００８４】
以上に説明したような実施例によれば、通信端末装置において緊急文書や重要文書を受信したときと、他の文書を受信したときとで、外部の情報処理装置への受信通知を変更することにより、受信文書の緊急度や重要度に応じて、情報処理装置における作業を中断するか、続行するかを変えることができ、便利なシステムを提供できる効果がある。
【００８５】
なお、前述した実施の形態の機能を実現すべく各種のデバイスを動作させるように、当該各種デバイスと接続された装置あるいはシステム内のコンピュータに、前述した実施の形態の機能を実現するためのソフトウエアのプログラムコードを供給し、そのシステムあるいは装置のコンピュータ（ＣＰＵあるいはＭＰＵ）を格納されたプログラムに従って各種デバイスを動作させることによって実施したものも本発明の範疇に含まれる。
【００８６】
またこの場合、ソフトウエアのプログラムコード自体が前述した実施形態の機能を実現することになり、そのプログラムコード自体、およびそのプログラムコードをコンピュータに供給するための手段、たとえばかかるプログラムコードを格納した記憶媒体は本発明を構成する。
【００８７】
かかるプログラムコードを格納する記憶媒体としては、たとえばフロッピディスク、ハードディスク、光ディスク、光磁気ディスク、ＣＤ−ＲＯＭ、磁気テープ、不揮発性メモリカード、ＲＯＭ等を用いることができる。
【００８８】
また、コンピュータが供給されたプログラムコードを実行することにより、前述の実施の形態の機能が実現されるだけではなく、そのプログラムコードがコンピュータにおいて稼働しているＯＳ（オペレーティングシステム）、あるいは他のアプリケーションソフト等と協働して前述の実施形態の機能が実現される場合にもかかるプログラムコードは本発明の実施の形態に含まれることは言うまでもない。
【００８９】
さらに、供給されたプログラムコードが、コンピュータの機能拡張ボードやコンピュータに接続された機能拡張ユニットに備わるメモリに格納された後、そのプログラムコードの指示に基づいて、その機能拡張ボードや機能格納ユニットに備わるＣＰＵ等が実際の処理の一部または全部をを行い、その処理によって前述した実施の形態の機能が実現される場合も本発明に含まれることは言うまでもない。
【００９０】
【発明の効果】
以上に説明したように、本発明によれば、相手先から受信したデータの重要性等に応じた通知を行い、受信データを適切に処置させることができる。
【図面の簡単な説明】
【図１】本発明の一実施例に係るファクシミリ装置およびパーソナルコンピュータによるデータ処理システムの構成を示すブロック図である。
【図２】図１に示すデータ処理システムの外観を示す斜視図である。
【図３】パーソナルコンピュータのメモリに格納されるデータのメモリマップ例を示す説明図である。
【図４】本発明の第１実施例における相手先データの具体例を示す説明図である。
【図５】前記第１実施例におけるプライオリティを決定するプライオリティＩＤの具体例を示す説明図である。
【図６】前記第１実施例におけるファクシミリ装置およびパーソナルコンピュータの動作の流れを示すフローチャートである。
【図７】緊急なファクシミリを受信した場合のパーソナルコンピュータの表示画面の例を示す説明図である。
【図８】緊急でないファクシミリを受信した場合のパーソナルコンピュータの表示画面の例を示す説明図である。
【図９】パーソナルコンピュータにデータを転送できない場合も考慮した第１実施例によるファクシミリ装置の動作の流れを示すフローチャートである。
【図１０】相手先データを解析する際の処理の流れを示すフローチャートである。
【図１１】本発明の第１実施例におけるプライオリティを決定するプライオリティＩＤの具体例を示す説明図である。
【図１２】前記第２実施例におけるファクシミリ装置およびパーソナルコンピュータの動作の流れを示すフローチャートである。
【図１３】パーソナルコンピュータにデータを転送できない場合も考慮した第２実施例によるファクシミリ装置の動作の流れを示すフローチャートである。
【図１４】前記第２実施例において、サブアドレスを識別する場合の処理の流れを示すフローチャートである。
【図１５】本発明の第３実施例におけるファクシミリ装置の動作の流れを示すフローチャートである。
【図１６】前記第３実施例におけるパーソナルコンピュータの動作の流れを示すフローチャートである。
【図１７】前記第３実施例において、緊急なファクシミリを受信した場合のパーソナルコンピュータの表示画面の例を示す説明図である。
【図１８】前記第３実施例において、親展ファクシミリを受信した場合のパーソナルコンピュータの表示画面の例を示す説明図である。
【符号の説明】
１…ＣＰＵ、
２…ＲＯＭ、
３…ＲＡＭ、
４…ＤＲＡＭ、
５…操作パネル、
６…プリンタ、
７…画像処理部、
８…ＣＳ、
９…モデム、
１０…ＮＣＵ、
１１…ＰＣインタフェース、
１２…ＰＣ。
【図１】
0004036406.tif 000002
【図２】
0004036406.tif 000003
【図３】
0004036406.tif 000004
【図４】
0004036406.tif 000005
【図５】
0004036406.tif 000006
【図６】
0004036406.tif 000007
【図７】
0004036406.tif 000008
【図８】
0004036406.tif 000009
【図９】
0004036406.tif 000010
【図１０】
0004036406.tif 000011
【図１１】
0004036406.tif 000012
【図１２】
0004036406.tif 000013
【図１３】
0004036406.tif 000014
【図１４】
0004036406.tif 000015
【図１５】
0004036406.tif 000016
【図１６】
0004036406.tif 000017
【図１７】
0004036406.tif 000018
【図１８】
0004036406.tif 000019